(57)【要約】      （修正有）【課題】長方形の液晶パネルの両面に対応する大きさの光学フィルムシートを、液晶パネルの両面に精度の高い位置決めにより積層した積層体の製造方法および装置を提供する。【解決手段】長方形の液晶パネルの両面に、対応した幅または長さを有する第１の光学フィルムシートおよび第２の光学フィルムシートを、それらを連続的に支持する帯状の第１のキャリアフィルムおよび第２のキャリアフィルムから剥離し、貼り合せる光学的表示装置のための積層体の製造において、長方形の第１の光学フィルムシートおよび第２の光学フィルムシートの長辺の両端位置の２個所のみを検出し、これらの両端位置情報に基づき、光学フィルムシートに各々に対応する液晶パネルの両面の各々を位置合せし、第１のキャリアフィルムおよび第２のキャリアフィルムの各々から第１の光学フィルムシートおよび第２の光学フィルムシートを剥離し、液晶パネルの両面に貼り合わせる。【選択図】図３
2019061209.tif 000002
【特許請求の範囲】
【請求項１】
長方形の液晶パネルの一方面の幅または長さに対応した幅または長さを有する、帯状の第１のキャリアフィルム上に長辺が前記第１のキャリアフィルムの幅方向を向くように連続的に支持された前記液晶パネルの一方面に対応する大きさの第１の光学フィルムシートを、前記第１のキャリアフィルムから剥離して前記液晶パネルの一方面に貼り合わせ、かつ、前記液晶パネルの他方面の幅または長さに対応した幅または長さを有する、帯状の第２のキャリアフィルム上に長辺が前記第２のキャリアフィルムの長手方向を向くように連続的に支持された前記液晶パネルの他方面に対応する大きさの第２の光学フィルムシートを、前記第２のキャリアフィルムから剥離して前記液晶パネルの他方面に貼り合わせる光学的表示装置のための積層体を製造する方法であって、
前記第１の光学フィルムシートの先端部または後端部が所定の第１検出位置に到達したときに、前記第１のキャリアフィルムの送りを止め、前記第１の光学フィルムシートの前記長辺に相当する先端部または後端部の幅方向の両端位置の一方端と他方端を検出する工程と、
前記幅方向の前記両端位置の前記一方端と前記他方端からなる位置情報に基づき、前記液晶パネルの一方面と前記第１の光学フィルムシートを位置合わせする工程と、
前記第１の光学フィルムシートを前記第１のキャリアフィルムから剥離して前記液晶パネルの一方面に貼り合わせる工程と、
前記第２の光学フィルムシートの先端部が所定の第２検出位置に到達したときに、前記第２のキャリアフィルムの送りを止め、前記第２の光学フィルムシートの前記長辺に相当する側端部のいずれか一方の両端位置の先端と後端を検出する工程と、
前記側端部の前記両端位置の前記後端と前記先端からなる位置情報に基づき、前記液晶パネルの他方面と前記第２の光学フィルムシートを位置合わせする工程と、
前記第２の光学フィルムシートを前記第２のキャリアフィルムから剥離して前記液晶パネルの他方面に貼り合わせる工程と、
を含む方法。
【請求項２】
前記第１の光学フィルムシートは第１の偏光フィルムからなり、第２の光学フィルムシートは第２の偏光フィルムからなる請求項１に記載の方法。
【請求項３】
前記液晶パネルの一方面はＴＦＴ側の面であり、前記液晶パネルの他方面はＣＦ側の面である請求項１または２のいずれかに記載の方法。
【請求項４】
前記第１光学フィルムシートの幅方向の両端位置の一方端と他方端を検出する工程は、前記両端位置の一方端と他方端とのズレ角度θ１を算出する工程をさらに含み、前記第２光学フィルムシートの側端部のいずれか一方の両端位置の先端と後端を検出する工程は、前記両端位置の前記後端と前記先端とのズレ角度θ２を算出する工程をさらに含む請求項１から３のいずれかに記載の方法。
【請求項５】
前記液晶パネルの一方面と前記第１の光学フィルムシートとを位置合わせする工程は、前記ズレ角度θ１に基づき前記液晶パネルの一方面を前記第１の光学フィルムシートに位置付け、前記液晶パネルの他方面と前記第２の光学フィルムシートとを位置合わせする工程は、前記ズレ角度θ２に基づき前記液晶パネルの他方面を前記第２の光学フィルムシートに位置付けるようにした請求項４に記載の方法。
【請求項６】
前記第１のキャリアフィルムを第１の剥離体の頂部で折り返し送りながら前記第１の光学フィルムシートを前記第１のキャリアフィルムから剥離する工程と
前記第２のキャリアフィルムを第２の剥離体の頂部で折り返し送りながら前記第２の光学フィルムシートを前記第２のキャリアフィルムから剥離する工程と、をさらに含み、
前記第１の光学フィルムシートを前記第１のキャリアフィルムから剥離して前記液晶パネルの一方面に貼り合わせる工程は、送りを止めた前記第１のキャリアフィルムの送りを再開し、前記第１の光学フィルムシートを前記第１のキャリアフィルムから剥離しながら前記液晶パネルの一方面に貼り合わせる工程を含み、
前記第２の光学フィルムシートを前記第２のキャリアフィルムから剥離して前記液晶パネルの他方面に貼り合わせる工程は、送りを止めた前記第２のキャリアフィルムの送りを再開し、前記第２の光学フィルムシートを前記第２のキャリアフィルムから剥離しながら前記液晶パネルの他方面に貼り合わせる工程を含む請求項１から５のいずれかに記載の方法。
【請求項７】
長方形の液晶パネルの一方面の幅または長さに対応した幅または長さを有する、帯状の第１のキャリアフィルム上に長辺が前記第１のキャリアフィルムの幅方向を向くように連続的に支持された前記液晶パネルの一方面に対応する大きさの第１の光学フィルムシートを、前記第１のキャリアフィルムから剥離して前記液晶パネルの一方面に貼り合わせ、かつ、前記液晶パネルの他方面の幅または長さに対応した幅または長さを有する、帯状の第２のキャリアフィルム上に長辺が前記第２のキャリアフィルムの長手方向を向くように連続的に支持された前記液晶パネルの他方面に対応する大きさの第２の光学フィルムシートを、前記第２のキャリアフィルムから剥離して前記液晶パネルの他方面に貼り合わせる光学的表示装置のための積層体を製造する装置であって、
前記第１の光学フィルムシートの先端部または後端部が所定の第１検出位置に到達したときに、前記第１のキャリアフィルムの送りを止め、前記第１の光学フィルムシートの前記長辺に相当する先端部または後端部の幅方向の両端位置の一方端を検出する第１検出手段および他方端を検出する第２検出手段と、
前記幅方向の前記両端位置の前記一方端と前記他方端からなる位置情報に基づき、前記液晶パネルの一方面と前記第１の光学フィルムシートとを位置合わせする第１の位置合わせ手段と、
前記第１の光学フィルムシートを前記第１のキャリアフィルムから剥離して前記液晶パネルの一方面に貼り合わせる第１の貼合
手段と、
前記第２の光学フィルムシートの先端部が所定の第２検出位置に到達したときに、前記第２のキャリアフィルムの送りを止め、前記第２の光学フィルムシートの前記長辺に相当する側端部のいずれか一方の両端位置の先端を検出する第３検出手段および前記両端位置の後端を検出する第４検出手段と、
前記側端部の前記両端位置の前記後端と前記先端からなる位置情報に基づき、前記液晶パネルの他方面と前記第２の光学フィルムシートとを位置合わせする第２の位置合わせ手段と、
前記第２の光学フィルムシートを前記第２のキャリアフィルムから剥離して前記液晶パネルの他方面に貼り合わせる第２の貼合手段と
を含む装置。
【請求項８】
前記第１の光学フィルムシートは第１の偏光フィルムからなり、前記第２の光学フィルムシートは第２の偏光フィルムからなる請求項７に記載の装置。
【請求項９】
前記液晶パネルの一方面はＴＦＴ側の面であり、前記液晶パネルの他方面はＣＦ側の面である請求項７または８のいずれかに記載の装置。
【請求項１０】
前記第１の光学フィルムシートの幅方向の両端位置を検出する前記第１検出手段および前記第２検出手段は、前記両端位置の前記一方端と前記他方端とのズレ角度θ１を算出する第１の算出手段をさらに含み、前記第２の光学フィルムシートの側端部のいずれか一方の前記両端位置の前記先端と前記後端を検出する前記第３検出手段および前記第４検出手段は、前記後端と前記先端とのズレ角度θ２を算出する第２の算出手段をさらに含む請求項７から９のいずれかに記載の装置。
【請求項１１】
前記第１の位置合わせ手段は、前記ズレ角度θ１に基づき前記液晶パネルの一方面と前記第１光学フィルムシートとを位置合わせし、前記第２の位置合わせ手段は、前記ズレ角度θ２に基づき前記液晶パネルの他方面と前記第２光学フィルムシートとを位置合わせするようにした請求項１０に記載の装置。
【請求項１２】
前記装置は、前記第１のキャリアフィルムを第１頂部で折り返し送りながら、前記第１の光学フィルムシートを前記第１のキャリアフィルムから剥離する前記第１頂部を有する第１剥離体と、前記第２のキャリアフィルムを第２頂部で折り返し送りながら、前記第２の光学フィルムシートを前記第２のキャリアフィルムから剥離する前記第２頂部を有する第２剥離体とをさらに含み、
前記第１の光学フィルムシートを前記第１のキャリアフィルムから剥離して前記液晶パネルの一方面に貼り合わせる前記第１の貼合手段は、送りを止めた前記第１のキャリアフィルムの送りを再開し、前記第１の光学フィルムシートを前記第１のキャリアフィルムから剥離しながら前記液晶パネルの一方面に貼り合わせ、
前記第２の光学フィルムシートを前記第２のキャリアフィルムから剥離して前記液晶パネルの他方面に貼り合わせる前記第２の貼合手段は、送りを止めた前記第２のキャリアフィルムの送りを再開し、前記第２の光学フィルムシートを前記第２のキャリアフィルムから剥離しながら前記液晶パネルの他方面に貼り合わせるようにした請求項７から１１のいずれかに記載の装置。
【発明の詳細な説明】
【技術分野】
【０００１】
本発明は、長方形の液晶パネルの両面のそれぞれに対応する大きさの偏光フィルムを有する光学フィルムシートを、吸収軸がクロスニコルの関係になるように、液晶パネルの両面に積層する光学的表示装置のための積層体を製造する方法および装置に関する。
【背景技術】
【０００２】
光学的表示装置の製造において、ロール・トゥ・パネル（ＲＴＰ）方式の製造は、特許文献１に記載されているように、周知である。例えば、液晶の光学的表示装置を製造するＲＴＰ方式においては、通常、以下のようにして光学的表示装置が製造される。
【０００３】
それは、図２に示されているように、まず、Ｒ１から繰り出された帯状の第１の光学フィルム積層体に含まれる第１のキャリアフィルム上に、長方形の液晶パネルの一方面の幅または長さに対応した幅または長さを有する長辺が第１のキャリアフィルムの幅方向を向くように連続的に支持された第１の光学フィルムシートを、前記液晶パネルの前記一方面に貼り合わせ、かつ、Ｒ２から繰り出された帯状の第２の光学フィルム積層体に含まれる第２のキャリアフィルム上に、前記液晶パネルの他方面の幅または長さに対応した幅または長さを有する長辺が第２のキャリアフィルムの長手方向を向くように連続的に支持された第２の光学フィルムシートを、前記液晶パネルの前記他方面に貼り合わせる。
【０００４】
それにより、第１および第２の光学フィルムシートの夫々を第１および第２のキャリアフィルムの夫々から剥離しながら、互いにクロスニコルの関係になるように、液晶パネルの両面に積層し、それにより積層体の光学的表示装置が連続的に製造される。
【０００５】
その際に必要とされる技術的課題は、光学フィルムシートと液晶パネルとの精度の高い位置決めである。それは、帯状のキャリアフィルムから剥離されて貼合位置に送られる光学フィルムシートと、それに同期して貼合位置に搬送される長方形の液晶パネルの一方面または他方面とが正確に位置決めされて積層させるためである。
【０００６】
したがって、こうしたＲＴＰ方式の製造においては、特許文献２に示されるように、キャリアフィルム上に連続的に支持された光学フィルムシートが該キャリアフィルムから剥離され貼合位置に送られ、剥離された光学フィルムシートを、それに同期して貼合位置に搬送される液晶パネルの一方面または他方面に、貼り合わせる際に、液晶パネルの一方面または他方面を該光学フィルムシートに対して正確に位置決めする工程が含まれる。
【０００７】
ＲＴＰ方式の製造において、貼合位置の近くにキャリアフィルム上に連続的に支持された光学フィルムシートをキャリアフィルムから粘着剤層と共に剥離する剥離手段が配置される。剥離手段は、好ましくは、貼合位置に対向する頂部を有する略楔型の剥離体からなる剥離手段が用いられる。
【０００８】
光学フィルムシートは、キャリアフィルムを略楔型の剥離体の頂部で光学フィルムシートの搬送方向とは概ね反対方向に折り返しながら搬送することによって、キャリアフィルムから粘着剤層と共に剥離されて貼合位置に向う。貼合位置に到達した光学フィルムシートは、それに同期して貼合位置に位置調整されて搬送される液晶パネルの対応する貼合面に貼り合わされる。
【０００９】
一方、近年、光学的表示装置の製造は、小型化、薄型化及び軽量化が一層進む一方、液晶表示領域を囲む枠部分の狭小化すなわち狭額縁化も進み、それに伴い、タクト時間をより短くかつトラブルの少ない製造工程において、さらに液晶パネルに対する光学フィルムシートの正確な位置決め要請がより高まっている。
【００１０】
特許文献２には、貼合位置に搬送される矩形パネルの送り方向の中心線が、同じく貼合位置に送られる光学フィルムシートの中心線に平行になるように矩形パネルを角度調整するエッジ検出装置、および、貼合ステーションにおいて光学フィルムシートの先端位置を検出する直進位置検出装置を備え、角度調整後に平行な位置関係の乖離量だけ平行移動して位置調整する方法が開示されている。
【００１１】
特許文献３には、貼付所定位置でパネル部材に貼り合わされる光学フィルムシートがパネル部材と共に貼付所定位置に至る前に、帯状のキャリアフィルムに粘着層を介して支持されたその光学フィルムシートの先端を先端検出手段で事前に読み取り、パネル部材との貼付開始位置に一致させて、キャリアフィルムから剥離しながらパネル部材に貼り合わせるようにする方法が開示されている。
【００１２】
特許文献４には、貼合位置に搬送されてきた基板に進行方向側の端面と離形フィルムから剥離されたフィルム片の切断面が平行になるように基板の対応する位置に貼合わせる貼合手段が開示されている。
【００１３】
特許文献５には、パネル吸着搬送機構が位相差フィルム貼付機構と連動し、画像認識カメラを備え、位相差フィルムコーナ検出機構の動作停止に合せ位相差フィルムのコーナを読取る装置が開示されている。
【００１４】
また特許文献６には、長方形基板の長辺に対応する幅と短辺に対応する長さを有する第１の光学フィルムシートを含む第１の光学フィルム積層体と、長方形基板の短辺に対応する幅と長辺に対応する長さを有する第２光学フィルムシートを含む第２の光学フィルム積層体を順次繰り出し、長方形基板の一方面と他方面の両面に貼り合わせる方法が開示されている。
【００１５】
いずれにしても、本発明者らは、鋭意検討を進め、ＲＴＰ方式の製造において、タクト時間をより短く、かつ、トラブルをより少なくすることによって、光学的表示装置の製造スピードを維持し、従来技術からは想定し得ない液晶パネルと光学フィルムシートとの貼り合せに求められる正確な位置決め工程を含む本発明を実現した。
【先行技術文献】
【特許文献】
【００１６】
【特許文献１】特許第４３７７９６４号公報
【特許文献２】特許第４６４４７５５号公報
【特許文献３】特許第５４５８２１２号公報
【特許文献４】特開２００５−０３７４１６号公報
【特許文献５】特開２００３−１０７２４６号公報
【特許文献６】特許第５６１６４９４号公報
【発明の概要】
【発明が解決しようとする課題】
【００１７】
課題は、長方形の液晶パネルに、その幅または長さに対応した幅または長さを有する光学フィルムシートを支持する帯状のキャリアフィルムから、光学フィルムシート剥離し、貼り合せ、それにより、光学的表示装置の積層体を製造する方法において、タクト時間を維持しながら、液晶パネルの貼合面を光学フィルムシートにより高い精度の位置合せを実現することである。
【００１８】
そのためには、特許文献３に示されるように、カメラ等の撮像装置を用いて光学フィルムシートの先端位置を読み取り、その位置情報に基づき、貼り合わされる液晶パネルの正確な位置を特定する必要がある。その場合、長方形の光学フィルムシートの４隅の位置を全て読み取り、それらに基づく液晶パネルの位置合わせは、複雑になることは避けがたい。
【００１９】
複雑化する液晶パネルの光学フィルムシートへの貼り合わせを単純化する
ために、光学フィルムシートの４隅の位置を２隅または３隅で間に合わせることができないかなど、鋭意検討を重ね、本発明に至った。
【課題を解決するための手段】
【００２０】
上記の課題は、長方形の液晶パネルの両面に、夫々の幅または長さに対応した幅または長さを有する第１および第２の光学フィルムシートを、それらを連続的に支持する帯状の第１および第２のキャリアフィルムから剥離し貼り合せる光学的表示装置の積層体を製造する方法において、長方形の第１および第２の光学フィルムシートの長辺の両端位置のみを検出し、これらの両端の位置情報に基づき、光学フィルムシートに各々に対応する液晶パネルの貼合面を位置合せし、第１および第２のキャリアフィルムの各々から第１および第２のキャリアフィルムを剥離し、液晶パネルの両面に順次または同時に貼り合わせることによって、解決される。
【００２１】
本発明の一実施態様は、光学的表示装置の積層体６の製造方法を提供する。それは、図２の模式的平面図およびそれを側面から見た図３の模式図に示されるように、長方形の液晶パネル５の一方面５０の幅または長さに対応した幅または長さを有する、帯状の第１のキャリアフィルム３０上に長辺ｙ１０が第１のキャリアフィルム３０の幅方向を向くように連続的に支持された液晶パネル５の一方面５０に対応する大きさの第１の光学フィルムシート１０を、第１のキャリアフィルム３０から剥離して液晶パネル５の一方面５０に貼り合わせ、かつ、液晶パネル５の他方面５１の幅または長さに対応した幅または長さを有する、帯状の第２のキャリアフィルム３１上に長辺ｙ１１が第２のキャリアフィルム３１の長手方向を向くように連続的に支持された液晶パネル５の他方面５１に対応する大きさの第２の光学フィルムシート１１を、第２のキャリアフィルム３１から剥離して液晶パネル５の他方面５１に貼り合わせるようにした光学的表示装置の積層体６を製造する方法である。
【００２２】
それはまた、図４に示されるように、第１の光学フィルムシート１０の先端部または後端部１０１が所定の第１検出位置７０に到達したときに、第１のキャリアフィルム３０の送りを止め、第１の光学フィルムシート１０の長辺ｙ１０に相当する先端部または後端部１０１の幅方向の両端位置である一方端１０２またと他方端１０３を検出する工程と、幅方向の両端位置の一方端１０２と他方端１０３からなる位置情報２００に基づき、液晶パネル５の一方面５０を第１の光学フィルムシート１０に位置合わせする工程と、第１の光学フィルムシート１０を第１のキャリアフィルム３０から剥離して液晶パネル５の一方面５０に貼り合わせる工程を含むことができる。図４は、第１の光学フィルムシート１０の長辺ｙ１０に相当する後端部１０１の幅方向の両端位置の一方端１０２と他方端１０３をカメラ等の撮像装置で読取る装置１０４を含む第１の貼合ステーション１２０の拡大模式図である。
【００２３】
それはさらに、図５に示されるように、第２の光学フィルムシート１１の先端部１１１が所定の第２検出位置７１に到達したときに、第２のキャリアフィルム３１の送りを止め、第２の光学フィルムシート１１の長辺ｙ１１に相当する側端部１１１のいずれか一方の先端１１２と後端１１３の両端位置を検出する工程と、側端部１１１の両端位置の先端１１２と後端１１３からなる位置情報２１０に基づき、液晶パネル５の他方面５１を第２の光学フィルムシート１１に位置合わせする工程と、第２の光学フィルムシート１１を第２のキャリアフィルム３１から剥離して液晶パネル５の他方面５１に貼り合わせる工程をも含むことができる。図５は、第２の光学フィルムシート１１の長辺ｙ１１に相当する側端部１１１のいずれか一方の先端１１２と後端１１３の両端位置をカメラ等の撮像装置で読取る装置１１４を含む第１の貼合ステーション２２０の拡大模式図である。
【００２４】
本発明の方法において、第１の光学フィルムシート１０は第１の偏光フィルムからなり、第２の光学フィルムシート１１は第２の偏光フィルムからなる一方、液晶パネル５の一方面５０をＴＦＴ側の面とし、液晶パネル５の他方面５１をＣＦ側の面とすることができる。
【００２５】
同じく本発明の方法において、第１の光学フィルムシート１０の幅方向の両端位置の一方端１０２と他方端１０３を検出する工程は、一方端１０２と他方端１０３とのズレ角度θ１を算出する工程をさらに含み、第２の光学フィルムシート１１の側端部１１１のいずれか一方の両端位置の先端１１２と後端１１３を検出する工程は、後端１１３と先端１１２とのズレ角度θ２を算出する工程をさらに含むことができる。
【００２６】
同じく本発明の方法において、さらに第１の光学フィルムシート１０の幅方向の両端位置のズレ角度θ１の算出により、液晶パネル５の一方面５０と第１の光学フィルムシート１０とを位置合わせする工程は、ズレ角度θ１に基づき液晶パネル５の一方面５０を第１の光学フィルムシート１０に位置付けする一方、第２の光学フィルムシート１１の側端部１１１のいずれか一方の両端位置のズレ角度θ２の算出により、記液晶パネル５の他方面５１と第２の光学フィルムシート１１とを位置合わせする工程は、ズレ角度θ２に基づき液晶パネル５の他方面５１を第２の光学フィルムシート１１に位置付けすることができる。
【００２７】
同じく本発明の方法において、図４および図５に示されるように、第１のキャリアフィルム３０を第１の剥離体６０の頂部６０１で折り返し送りながら、第１の光学フィルムシート１０を第１のキャリアフィルム３０から剥離する工程と、第２のキャリアフィルム３１を第２の剥離体６１の頂部６１１で折り返し送りながら、第２の光学フィルムシート１１を第２のキャリアフィルム３１から剥離する工程とをさらに含み、第１の光学フィルムシート１０を第１のキャリアフィルム３０から剥離して液晶パネル５の一方面５０に貼り合わせる工程は、送りを止めた第１のキャリアフィルム３０の送りを再開し、それにより第１の光学フィルムシート１０を第１のキャリアフィルム３０から剥離しながら液晶パネル５の一方面５０に貼り合わせる工程を含み、さらに、第２の光学フィルムシート１１を第２のキャリアフィルム３１から剥離して液晶パネル５の他方面５１に貼り合わせる工程は、送りを止めた第２のキャリアフィルム３１の送りを再開し、それにより第２の光学フィルムシート１１を第２のキャリアフィルム３１から剥離しながら液晶パネル５の他方面５１に貼り合わせる工程を含むことができる。
【００２８】
本発明の他の実施態様は、光学的表示装置の積層体６の製造装置を提供する。それは、図２の模式的平面図およびそれを側面から見た図３の模式図に示されるように、長方形の液晶パネル５の一方面５０の幅または長さに対応した幅または長さを有する、帯状の第１のキャリアフィルム３０の上に長辺ｙ１０が第１のキャリアフィルム３０の幅方向を向くように連続的に支持された液晶パネル５の一方面５０に対応する大きさの第１の光学フィルムシート１０を、第１のキャリアフィルム３０から剥離して液晶パネル５の一方面５０に貼り合わせ、かつ、液晶パネル５の他方面５１の幅または長さに対応した幅または長さを有する、帯状の第２のキャリアフィルム３１の上に長辺ｙ１１が第２のキャリアフィルム３１の長手方向を向くように連続的に支持された液晶パネル５の他方面５１に対応する大きさの第２の光学フィルムシート１１を、第２のキャリアフィルム３１から剥離して液晶パネル５の他方面５１に貼り合わせる光学的表示装置の積層体６を製造する装置である。
【００２９】
それはまた、図４に示されるように、第１の光学フィルムシート１０の先端部または後端部１０１が所定の第１検出位置７０に到達したときに、第１のキャリアフィルム３０の送りを止め、第１の光学フィルムシート１０の長辺ｙ１０に相当する先端部または後端部１０１の幅方向の両端位置の一方端１０２を検出する第１検出手段７０１および両端位置の他方端１０３を検出する第２検出手段７０２と、幅方向の両端位置の一方端１０２と他方端１０３からなる位置情報２００に基づき、液晶パネル５の一方面５０と第１の光学フィルムシート１０とを位置合わせする第１の位置合わせ手段８０と、第１の光学フィルムシート１０を第１のキャリアフィルム３０から剥離して液晶パネル５の一方面５０に貼り合わせる第１の貼合手段９０を含む装置１である。図４は、第１の光学フィルムシート１０の長辺ｙ１０に相当する後端部１０１の幅方向の両端位置の一方端１０２と他方端１０３をカメラ等の撮像装置で読取る装置１０４を含む第１の貼合ステーション１２０の拡大模式図である。
【００３０】
それはさらに、図５に示されるように、第２の光学フィルムシート１１の先端部１１１が所定の第２検出位置７１に到達したときに、第２のキャリアフィルム３１の送りを止め、第２の光学フィルムシート１１の長辺ｙ１１に相当する側端部１１１のいずれか一方の両端位置の先端１１２を検出する第３検出手段７１１および両端位置の後端１１３を検出する第４検出手段７１２と、側端部１１１の両端位置の先端１１２と後端１１３からなる位置情報２１０に基づき、液晶パネル５の他方面５１と第２の光学フィルムシート１１とを位置合わせする第２の位置合わせ手段８１と、第２の光学フィルムシート１１を第２のキャリアフィルム３１から剥離して液晶パネル５の他方面５１に貼り合わせる第２の貼合手段９１とを含む装置である。図５は、第２の光学フィルムシート１１の長辺ｙ１１に相当する側端部１１１のいずれか一方の先端１１２と後端１１３の両端位置をカメラ等の撮像装置で読取る装置１１４を含む第２の貼合ステーション２２０の拡大模式図である。
【００３１】
本発明の装置において、第１の光学フィルムシート１０は第１の偏光フィルムからなり、第２の光学フィルムシート１１は第２の偏光フィルムからなる一方、液晶パネル５の一方面５０をＴＦＴ側の面とし、液晶パネル５の他方面５０をＣＦ側の面とすることができる。
【００３２】
同じく本発明の装置において、第１の光学フィルムシート１０の幅方向の両端位置を検出する第１検出手段７０１および第２検出手段７０２は、両端位置の一方端１０２と他方端１０３とのズレ角度θ１を算出する第１算出手段７０３をさらに含み、第２の光学フィルムシート１１の側端部１１１のいずれかの両端位置の先端１１２と後端１１３を検出する第３検出手段７１１および第４検出手段７１２は、後端１１３と先端１１２とのズレ角度θ２を算出する第２算出手段７１３をさらに含むことができる。
【００３３】
同じく本発明の装置において、第１の位置合わせ手段８０は、第１の光学フィルムシート１０の幅方向の両端位置のズレ角度θ１の算出により、ズレ角度θ１に基づき液晶パネル５の一方面５０を第１の光学フィルムシート１０に位置付ける一方、第２の位置合わせ手段８１は、第２の光学フィルムシート１１の側端部１１１のいずれか一方の両端位置のズレ角度θ２の算出により、ズレ角度θ２に基づき液晶パネル５の他方面５１を第２の光学フィルムシート１１との位置付けることができる。
【００３４】
本発明の装置はさらに、第１のキャリアフィルム３０を第１頂部６０１で折り返し送りながら、第１の光学フィルムシート１０を第１のキャリアフィルム３０から剥離する第１頂部６０１を有する第１の略楔型剥離体６０と、第２のキャリアフィルム３１を第２頂部６１１で折り返し送りながら、第２の光学フィルムシート１１を第２のキャリアフィルム３１から剥離する第２頂部６１１を有する第２の略楔型剥離体６１とをさらに含み、第１の光学フィルムシート１０を第１のキャリアフィルム３０から剥離して液晶パネル５の一方面５０に貼り合わせる第１の貼合手段９０は、送りを止めた第１のキャリアフィルム３０の送りを再開し、第１の光学フィルムシート１０を第１のキャリアフィルム３０から剥離しながら液晶パネル５の一方面５０に貼り合わせる一方、第２の光学フィルムシート１１を第２のキャリアフィルム３１から剥離して液晶パネル５の他方面５１に貼り合わせる第２の貼合手段９１は、送りを止めた第２のキャリアフィルム３１の送りを再開し、第２の光学フィルムシート１１を第２のキャリアフィルム３１から剥離しながら液晶パネル５の他方面５１に貼り合わせることができる。
【図面の簡単な説明】
【００３５】
【図１】（ａ）および（ｂ）は、液晶パネルの長辺または短辺のアライメントマークに対応した幅を有する帯状の第１および第２のキャリアフィルムに粘着剤層と共に複数の第１および第２の光学フィルムシートを含む第１および第２の光学フィルム積層体の一例を表す平面図および側面図であり、（ｃ）は、液晶パネルの両面に対応した第１および第２の光学フィルムシートが貼り合わされた液晶パネルを表す平面図および側面図である。
【図２】一方から繰り出される第１の光学フィルム積層体の第１のキャリアフィルムから第１の光学フィルムシートを剥離し、他方から搬送される液晶パネルの一方面に貼り合わせ、次に、第１の光学フィルムシートが一方面に貼り合わされた液晶パネルを９０°旋回、かつ、反転させた液晶パネルの他方面に、他方から繰り出される第２の光学フィルム積層体の第２のキャリアフィルムから第２の光学フィルムシートを剥離し貼り合わせて光学的表示装置の積層体を製造する、ＲＴＰ方式による第１製造ラインと第２製造ラインを並置した装置の一例を模式的に表す平面図である。
【図３】図２に示される、液晶パネルの一方面または他方面の夫々に第１または第２の光学フィルムシートを貼り合わせるＲＴＰ方式による光学的表示装置の積層体を製造する第１製造ラインと第２製造ラインを並置した装置の一例を側面から見た模式図である。
【図４】図３に示される、第１の光学フィルムシートの長辺を幅方向に向くように送られる第１の光学フィルムシートの後端部の幅方向の両端位置の位置情報に基づき第１の光学フィルムシートを液晶パネルの一方面に貼り合わせるＲＴＰ方式による光学的表示装置の積層体を製造する第１製造ラインを構成する、第１の剥離手段と第１の位置合わせ手段と第１の貼合手段を含む第１の貼合ステーションの拡大模式図である。
【図５】図３に示される、第２の光学フィルムシートの短辺を幅方向に向くように送られる第２の光学フィルムシートのいずれか一方の側端部を構成する長辺の両端位置の位置情報に基づき第２の光学フィルムシートを液晶パネルの他方面に貼り合わせるＲＴＰ方式による光学的表示装置の積層体を製造する第２製造ラインを構成する、第２の剥離手段と第２の位置合わせ手段と第２の貼合手段を含む第２の貼合ステーションの拡大模式図である。
【図６】１０回の測定によって得られた製造工程における工程能力指数として定義されるＣｐ値で評価した、実施例と比較例との比較データである。  それは、図４および図５に示される、液晶パネルの一方面または他方面に貼り合わせる第１の光学フィルムシートの幅方向を構成する長辺の両端位置の一方端と他方端からなる位置情報、および、第２の光学フィルムシートの側端部のいずれか一方を構成する長辺の両端位置の先端と後端からなる位置情報に基づき液晶パネルの両面に貼り合わされた実施例の第１および第２の光学フィルムシートの貼付精度と、同じく液晶パネルの一方面または他方面に貼り合わせる第１の光学フィルムシートの幅方向を構成する長辺の両端位置の一方端と他方端からなる位置情報、および、第２の光学フィルムシートの幅方向を構成する短辺の両端位置の一方端と他方端からなる位置情報に基づき液晶パネルの両面に貼り合わされた比較例の第１および第２の光学フィルムシートの貼付精度を比較したデータである。
【図７】図６に示される実施例（ａ）および比較例（ｂ）の測定方法を表す模式図である。
【図８】第１の光学フィルムシートの幅方向を構成する長辺が幅方向の水平基準位置に対してθ１だけズレた状態で送られた第１の光学フィルムシートと、第２の光学フィルムシートの側端部のいずれか一方を構成する長辺が長手方向の垂直基準位置に対してθ２だけズレた状態で送られた第２の光学フィルムシートを表す模式図である。
【図９】図４に示される、第１の光学フィルムシートの長辺を幅方向に向くように送られる第１の光学フィルムシートの後端部を第１の光学フィルムシートの先端部に代えて、幅方向の両端位置の位置情報に基づくようにしたＲＴＰ方式による光学的表示装置の積層体を製造する第１製造ラインを構成する第１の貼合ステーションの拡大模式図である。
【発明を実施するための形態】
【００３６】
最初に本発明を特徴づける図６の実施例と比較例データを表す工程能力指数Ｃｐ値について説明する。工程能力指数Ｃｐ値は、工業製品の品質管理分野において、ある工程の工程能力を定量的に評価する指標の一つとして周知の値である。通常は以下の式で定義される。
Ｃｐ＝（ＵＳＬ−ＬＳＬ）／（６×δ）
但し、ＵＳＬは上側規格値、ＬＳＬは下側規格値、δは母標準偏差の推定値であり、これらの値は母集団で特性値が正規分布を為すことを仮定したものである。
【００３７】
工程能力指数Ｃｐ値は、通常、大きい数字ほど望ましい能力を持っていることを表すように定義されたものであり、０付近の値は、ばらつきが大きすぎて製品として品質管理対象にならないことを表す。好ましくは、Ｃｐ＞１．３３である。Ｃｐ＞１．６７の場合には承認標準に達しており、より好ましい。Ｃｐ＜１．３３の場合には製造された製品群は標準基準に達していると評価されず、当初目標の品質に達していないため、製品出荷基準を満たさないものとなる。
【００３８】
本発明は、製造工程のタクト時間をより短くした上で、こうした品質管理の定量的評価を達成する貼付精度も併せて実現する製造方法および装置である。
【００３９】
本発明による光学的表示装置の積層体６を製造する方法および装置は、以下の通りである。図１の（ａ）（ｂ）は、長方形の液晶パネル５の一方面５０および他方面５１に貼り合わされる偏光フィルムを含む第１の光学フィルムシート１０と第２の光学フィルムシート１１の各々が第１のキャリアフィルム３０と第２のキャリアフィルム３１の上に粘着剤層３を介して積層された第１の光学フィルム積層体Ｒ１と第２の光学フィルム積層体Ｒ２の一例を表す平面図および側面図である。また図１の（ｃ）は、長方形の液晶パネル５の両面にクロスニコルの関係になるように第１の光学フィルムシート１０および第２の光学フィルムシート１１が貼り合わされた液晶パネル５を表す平面図および側面図である。
【００４０】
図２および図３に示されるように、第１製造ライン１１０においては、一方からは第１の光学フィルム積層体Ｒ１が繰り出され、他方からは長方形の液晶パネル５が長辺Ａを先端面に搬送される。図１（ａ）に示されるように、繰り出される第１の光学フィルム積層体Ｒ１を構成する帯状の第１のキャリアフィルム３０の上に液晶パネル５の一方面５０の幅または長さに対応した幅または長さを有する第１の光学フィルムシート１０が、長辺ｙ１０を第１のキャリアフィルム３０の幅方向に向くように、または、短辺ｘ１０を第１のキャリアフィルム３０の長手方向に向くように、連続的に支持されている。
【００４１】
第１の光学フィルムシート１０は、第１の貼合ステーション１２０において、第１のキャリアフィルム３０を第１の略楔型剥離体６０の第１頂部６０１で折り返し巻き取ることによって、第１のキャリアフィルム３０から剥離され、第１の貼合位置１００に送られる。第１製造ライン１１０の他方からは液晶パネル５が長辺Ａを先端面に第１の貼合位置１００に向けて搬送される。
【００４２】
液晶パネル５は、例えば吸着搬送装置からなる第１の位置合わせ手段８０によって第１の貼合位置１００に長辺Ａを先端面に搬送される一方、第１検出位置の７０で、第１の光学フィルムシート１０の幅方向を構成する長短ｙ１０の後端部１０１の両端位置である一方端１０２と他方端１０３を検出し、後述される撮像装置に設定されている水平基準位置に対してθ１のズレがあることを確認したときは、ズレ量θ１を加味し、液晶パネル５の姿勢制御を行い、それにより液晶パネル５の一方面５０と第１の光学フィルムシート１０は、精度の高い位置合わせがなされながら、第１の貼合手段９０によって、貼り合わされる。
【００４３】
また、図２および図３に示される第２製造ライン２１０においては、一方からは第２の光学フィルム積層体Ｒ２が繰り出され、他方からは長方形の液晶パネル５が短辺Ｂを先端面に搬送される。図１（ｂ）に示されるように、繰り出される第２の光学フィルム積層体Ｒ２を構成する帯状の第２のキャリアフィルム３１の上に液晶パネル５の他方面５１の幅または長さに対応した幅または長さを有する第２の光学フィルムシート１１が、長辺ｙ１１が第２のキャリアフィルム３１の長手方向を向くように、または、短辺ｘ１１を第１のキャリアフィルム３０の幅方向に向くように、連続的に支持されている。
【００４４】
第２の光学フィルムシート１１は、第２の貼合ステーション２２０において、第２のキャリアフィルム３１を第２の略楔型剥離体６１の第２頂部６１１で折り返し巻き取ることによって、第２のキャリアフィルム３１から剥離され、第２の貼合位置２００に送られる。第２製造ライン２１０の他方からは、液晶パネル５の一方面５０に第１の光学フィルムシート１０を貼り合わせた液晶パネル５が９０°旋回され、かつ、反転され、液晶パネル５が短辺Ｂを先端面に第２の貼合位置２００に向けて搬送される。
【００４５】
液晶パネル５は、例えば吸着搬送装置からなる第２の位置合わせ手段８１によって第２の貼合位置２００に短辺Ｂを先端面に搬送される一方、第２検出位置７１で、第２の光学フィルムシート１１の側端部のいずれかを構成する長辺ｙ１１の両端位置である先端１１２と後端１１３を検出し、後述される撮像装置に設定されている垂直基準位置に対してθ２のズレがあることを確認したときは、ズレ量θ２を加味し、液晶パネル５の姿勢制御を行い、それにより液晶パネル５の他方面５１と第２の光学フィルムシート１１は、精度の高い位置合わせがなされながら、第２の貼合手段９１によって、貼り合わされる。
【００４６】
本発明の技術的課題は、光学的表示装置の積層体６を製造する方法および製造において、いかに故障による製造ラインの停止を少なくし、製造スピードを落とすことなく、いかに精度の高い貼合わせを実現するかという課題にある。光学フィルム積層体を構成するキャリアフィルム上に支持された光学フィルムシートをキャリアフィルムから剥離しながら液晶パネルなどの長方形部材に正確に位置付けて貼り合わせる様々な提案が、例えば、特許文献１から３に記載されている。以下、これまでに提案されてきたこうした技術と対比しながら、本発明の技術的特徴を明らかにする。
【００４７】
図２および図３で見たように、本発明の方法は、第１製造ライン１１０において、第１の光学フィルムシート１０の先端部１０１０が所定の第１検出位置７０に到達したときに、第１のキャリアフィルム３０の送りを止め、第１の光学フィルムシート１０の先端部１０１０の幅方向を構成する長辺ｙ１０の両端位置である一方端１０２と他方端１０３を検出する工程と、検出された幅方向の位置情報１０４に基づき、第１の位置合わせ手段８０によって液晶パネル５の一方面５０を第１の光学フィルムシート１０に位置合わせする工程と、第１の剥離手段６０によって第１の光学フィルムシート１０を第１のキャリアフィルム３０から剥離し、第１の貼合手段９０によって液晶パネル５の一方面５０に貼り合わせる工程を含むものである。
【００４８】
第１製造ライン１１０において、第１の光学フィルムシート１０の先端部１０１０が所定の第１検出位置７０に到達したときに、図８（ａ）に示されるように、先端部１０１０の幅方向が第１検出手段７０１と第２検出手段７０２とで設定された水平基準位置に対してθ１のズレがあることを確認したときは、液晶パネル５は、ズレ量θ１を加味して姿勢制御することができるものである。
【００４９】
本発明の方法はまた、第２製造ライン２１０において、第１製造ライン１１０で形成された一方面５０に第１の光学フィルムシート１０を貼り合わせた液晶パネル５が９０°旋回され、かつ、反転され、短辺Ｂを先端面に第２の貼合位置２００に向けて搬送される液晶パネル５の他方面５１に対して、第２の光学フィルムシート１１の先端部１１１０が所定の第２検出位置７１に到達したときに、第２のキャリアフィルム３１の送りを止め、第２の光学フィルムシート１１の長手方向の側端部１１１のいずれかを構成する長辺ｙ１１の両端位置である先端１１２と後端１１３を検出する工程と、検出された長手方向の位置情報１１４に基づき、第２の位置合わせ手段８１によって液晶パネル５の他方面５１を第２の光学フィルムシート１１に位置合わせする工程と、第１の剥離手段６１によって第２の光学フィルムシート１１を第２のキャリアフィルム３１から剥離し、第２の貼合手段９１によって液晶パネル５の他方面５１に貼り合わせる工程を含むものである。
【００５０】
第２製造ライン２１０においても、第２の光学フィルムシート１１の先端部１１１０が所定の第２検出位置７１に到達したときに、図８（ｂ）に示されるように、先端部１１１０の長手方向が第３検出手段７１１と第４検出手段７１２とで設定された垂直基準位置に対してθ２のズレがあることを確認したときは、液晶パネル５は、ズレ量θ２を加味して姿勢制御することができるものである。
【００５１】
本発明の装置は、第１の光学フィルムシート１０の先端部１０１が所定の第１検出位置７０に到達したときに、第１のキャリアフィルム３０の送りを止め、第１の光学フィルムシート１０の先端部１０１の幅方向を構成する長辺ｙ１０の両端位置の一方端１０２を検出する第１検出手段７０１および他方端１０３を検出する第２検出手段７０２と、幅方向の両端位置情報１０４に基づき、液晶パネル５の一方面５０と第１の光学フィルムシート１０とを位置合わせする第１の位置合わせ手段８０と、第１の光学フィルムシート１０を第１のキャリアフィルム３０から剥離する第１の剥離手段６０と、剥離された第１の光学フィルムシート１０を液晶パネル５の一方面５０に貼り合わせる第１の貼合手段９０を含む。
【００５２】
さらに本発明の装置は、第２の光学フィルムシート１１の先端部１１１０が所定の第２検出位置７１に到達したときに、第２のキャリアフィルム３１の送りを止め、第２の光学フィルムシート１１の長手方向の側端部１１１を構成する長辺ｙ１１の一方の両端位置の先端１１２を検出する第３検出手段７１１および後端１１３を検出する第４検出手段７１２と、側端部１１１の両端位置情報１１４に基づき、液晶パネル５の他方面５１と第２の光学フィルムシート１１とを位置合わせする第２の位置合わせ手段８１と、第２の光学フィルムシート１１を第２のキャリアフィルム３１から剥離する第２の剥離手段６１と、剥離された第２の光学フィルムシート１１を液晶パネル５の他方面５１に貼り合わせる第２の貼合手段９１とを含むものである。
【００５３】
本発明の方法および装置に装着される一対の帯状の光学フィルム積層体Ｒ１およびＲ２は、図１の（ａ）および（ｂ）に示されるように、長方形の液晶パネル５の長辺Ａまたは短辺Ｂに対応した幅を有する。第１の搬送ライン１１０には、第１の貼合位置１００に向けて液晶パネル５は長辺Ａを先端面に搬送される。したがって、液晶パネル５の一方面５０に貼り合わされる第１の光学フィルムシート１０は、その長辺ｙ１０が液晶パネル５の長辺Ａの例えばアライメントマークに対応しているので、第１のキャリアフィルム３０の上に幅方向を向くように連続的に支持されており、第１のキャリアフィルム３０から剥離されながら、第１の貼合位置１００に送られる。その際に、剥離される第１の光学フィルムシート１０の先端面を構成する幅方向の一方端１０２および他方端１０３を、例えばＣＣＤカメラからなる２つの検出手段、具体的には、第１撮像装置７０１および第２撮像装置７０２に設定された水平基準位置に対するズレ角度θ１を幅方向の位置データとして算出し、搬送される液晶パネル５は、ズレ角度θ１を修正するように姿勢が制御される。
【００５４】
他方、第２の搬送ライン２１０には、第２の貼合位置２００に向けて液晶パネル５は短辺Ｂを先端面に搬送される。したがって、液晶パネル５の他方面５１に貼り合わされる第２の光学フィルムシート１１は、その長辺ｙ１１が液晶パネル５の長辺Ａの例えばアライメントマークに対応しているので、第２のキャリアフィルム３１の上に長手向を向くように連続的に支持されており、第２のキャリアフィルム３１から剥離されながら、第２の貼合位置２００に送られる。その際に、第１の搬送ライン１１０と同様の貼付精度を出すために、剥離された第２の光学フィルムシート１１の先端部１１１０のいずれかの側端部１１１を構成する長辺ｙ１１の先端１１２と後端１１３を、例えばＣＣＤカメラからなる２つの検出手段、具体的には、第３撮像装置７１１および第４撮像装置７１２に設定された垂直基準位置に対するズレ角度θ２を長手方向の位置データとして算出し、搬送される液晶パネル５は、ズレ角度θ２を修正するように姿勢が制御される。
【００５５】
このように、本発明は、液晶パネル５の両面に対する第１および第２の光学フィルムシートの貼合は、液晶パネル５の両面のそれぞれに貼合わせる直前に液晶パネルの長辺Ａまたは短辺Ｂに対応する幅の異なる第１の光学フィルムシート１０および第２の光学フィルムシート１１の先端部を構成する幅方向および長手方向を構成するそれぞれの長辺ｙ１０および長辺ｙ１１を２個所のみで読取り、一方で水平基準位置に対するズレ角度θ１、他方で垂直基準位置に対するズレ角度θ２を算出し、それらに基づき液晶パネル５の姿勢を制御することによって、液晶パネル５の両面に高い貼付精度の貼り合わせを実現したものである。
【００５６】
本発明の特徴は、図７に示されるように、第１の光学フィルムシート１０の先端部１０１０を構成する長辺ｙ１０、および、第２の光学フィルムシート１１の先端部１１１０を構成する長辺ｙ１１を検出するようにした実施例（ａ）と、同じく、第１の光学フィルムシート１０の先端部１０１０を構成する長辺ｙ１０、および、第２の光学フィルムシート１１の先端部１１１０を構成する短辺ｘ１１のみを検出するようにした比較例（ｂ）とを比較した工程能力指数Ｃｐ値のデータから明らかになる。
【００５７】
図６の表に示されるように、先端位置を２個所のみで検出して位置合わせするＲＴＰ方式による従来型の光学的表示装置の積層体を製造する方法および装
置は、全て比較例（ｂ）の方法に基づいて行われてきた。図６の日かう例のデータからは、液晶パネル５の一方面５０を第１の光学フィルムシート１０の幅方向を構成する長辺ｙ１０に位置合わせして貼る合せたときのＣｐは、貼り始めの時も貼り終わり時もＣｐ＞１．６７であり、駆動側も操作側のＣｐ＞１．３３である。これに対して液晶パネル５の他方面５１を第２の光学フィルムシート１１の幅方向を構成する短辺ｘ１０に位置合わせして貼る合せたときのＣｐは、平均値で１．００を下回り、貼り始めの時も貼り終わりの時も、Ｃｐ＜１．３３であり、駆動側も操作側に至っては、Ｃｐ＜１．００であって、従来型の光学的表示装置の積層体を製造する方法および装置において、幅方向を構成する短辺ｘ１０の２個所のみを含む検出データに基づいて液晶パネル５と光学フィルムシートとの位置合わせはできないことを示している。
【００５８】
ところで、特許文献１および特許文献２には、光学フィルムシート先端を検出するエッジ検出装置と液晶パネルのアライメントマークの検出装置が開示されているが、本発明が実現した液晶パネルの両面に同等の高い貼付精度を実現するという発想は全く開示されていない。
【００５９】
また特許文献３によると、貼合位置の直前でキャリアフィルムから剥離される光学フィルムシートの幅方向の両端位置を、例えばＣＣＤカメラからなる２つの撮像装置で検出し、その検出データに基づき光学フィルムシートの先端位置を調整する一方、他方で対応するパネル部材の先端位置を読取り、パネル部材を位置調整しながら剥離された光学フィルムシートに貼り合わせることが開示されている。しかしながら、特許文献３には、特許文献１および特許文献２と同様に、幅の異なる第１および第２の光学フィルムシートの先端を構成するそれぞれの長辺のみを読取り、水平基準位置および垂直基準位置に対するそれぞれのズレ角度を算出し、それらに基づき液晶パネルの姿勢を制御するという発想は全く開示されていない。特許文献３によると、光学フィルムシートの先端面を構成する短辺の両端位置を検出するときは、本発明のような高い貼付精度を実現することは不可能であることは、図６のデータから明らかである。
【００６０】
図６および図７から明らかなように、特許文献１〜３に開示された短辺による位置データを含む幅方向のみの２点位置情報のみで液晶パネル５の姿勢を制御して液晶パネル５の両面に第１および第２の光学フィルムシートを貼り合わせたとしても、同様の貼付精度を実現することはできない。
【００６１】
特許文献４は、ＲＴＰ方式による光学表示装置の積層体を製造する方法および装置おいて、基板に貼り合わされる前に光学フィルムシートの相当するフィルム片の先端を検出する検出手段が開示されているが、液晶パネルの両面に幅の異なる第１の光学フィルムシートおよび第２の光学フィルムシートを貼り合わせる発想は全く開示されていない。また特許文献５には、光学フィルムシートの先端部の両端位置を読み取る工程が記載されているのみで、液晶パネルの両面に幅の異なる第１の光学フィルムシートおよび第２の光学フィルムシートを貼り合わせる記載は全くなく、それは、特許文献３に記載された光学フィルムシートの先端部を構成する幅方向の両端位置の検出手段にすぎないものである。
【００６２】
以上、ＲＴＰ方式において製造される光学的表示装置の積層体６は、液晶パネル５の一方面５０および他方面５１に第１の光学フィルムシート１０および第２の光学フィルムシート１１を貼りわせる際に、幅の異なる第１の光学フィルムシート１０および第２の光学フィルムシート１１の先端を構成するそれぞれの長辺ｙ１０、ｙ１１の両端のみを読取り、それらの２個所の両端位置情報に基づいて液晶パネル５の姿勢を制御することによって、液晶パネル５の両面に対する第１の光学フィルムシート１０および第２の光学フィルムシート１１の貼付精度を実現したものである。したがって、本発明は、高い貼付精度を実現するために、３点以上の位置情報によらずに僅か２個所の位置情報のみで、それらと同等の貼付精度を実現しており、製造工程上の故障の確立を高めるような多数の検出手段を配備することなく、最小限度の検出手段によって高い貼付精度を可能にしたものである。
【００６３】
本発明について実施例と図面により説明してきたが、本発明はこれにより限定されることはなく、本発明に属する技術分野における通常の知識を有する者により本発明の技術思想と以下の記載される特許請求の範囲の均等の範囲内で様々な修正および変形が可能であることは言うまでのないことである。
【符号の説明】
【００６４】
Ｒ１：第１の光学フィルム積層体
Ｒ２：第２の光学フィルム積層体
１０：第１の光学フィルムシート
ｙ１０：第１の光学フィルムシート先端を構成する幅方向の長辺
１０１０：第１の光学フィルムシートの先端部
１０２：第１の光学フィルムシートの幅方向の一方端
１０３：第１の光学フィルムシートの幅方向の他方端
１０４：第１の光学フィルムシートの幅方向の両端位置情報
１１：第２の光学フィルムフィルム
ｙ１１：第２の光学フィルムシート先端を構成する長手方向の長辺
１１１０：第２の光学フィルムシートの先端部
１１１：第２の光学フィルムシートの先端部を構成する側端部
１１２：第２の光学フィルムシートの長手方向の側端部を構成する先端
１１３：第２の光学フィルムシートの長手方向の側端部を構成する後端
１１４：第２の光学フィルムシートの長手方向の両端位置情報
３０：第１のキャリアフィルム
３１：第２のキャリアフィルム
５：液晶パネル
６：積層体
５０：液晶パネルの一方面（ＴＦＴ側面）
５１：液晶パネルの他方面（ＣＦ側面）
６０：第１の剥離手段
６０１：第１頂部
６１：第２の剥離手段
６１１：第２頂部
７０：第１検出位置
７０１：第１検出手段または第１撮像装置
７０２：第２検出手段または第２撮像装置
７１：第２検出位置
７１１：第３検出手段または第３撮像装置
７１２：第４検出手段または第４撮像装置
８０：第１の位置合わせ手段
８１：第２の位置合わせ手段
９０：第１の貼合手段
９１：第２の貼合手段
１００：第１の貼合位置
１１０：第１製造ライン
１２０：第１の貼合ステーション
２００：第２の貼合位置
２１０：第２製造ライン
２２０：第１の貼合ステーション
【図１】
2019061209.tif 000003
【図２】
2019061209.tif 000004
【図３】
2019061209.tif 000005
【図４】
2019061209.tif 000006
【図５】
2019061209.tif 000007
【図６】
2019061209.tif 000008
【図７】
2019061209.tif 000009
【図８】
2019061209.tif 000010
【図９】
2019061209.tif 000011